(57)【特許請求の範囲】
【請求項１】
バインダの通信線路（ｉ、ｊ、ｋ、．．．）における障害を識別する方法であって、前記バンドルの前記線路上で片端線路試験ＳＥＬＴを実行するステップを備え、
前記バンドルのそれぞれの線路に関して少なくとも１つのディファレンシャルモードを備え、さらに前記バンドルのそれぞれの線路ペアに関して少なくとも１つのファントムモードを備えるマルチモードグループの第１のモードで入力信号（ＩＮ）を印加するステップと、
前記第１のモードとは異なる前記マルチモードグループの第２のモードでエコー信号（Ｅ）を測定するステップと、
前記エコー信号（Ｅ）を、エコー信号（Ｅ）から障害を導き出すために、前記入力信号（ＩＮ）に鑑みて解析するステップとを備えることを特徴とする、方法。
【請求項２】
第２のモードで前記測定するステップ、および前記第１のモードとは異なる前記マルチモードグループのすべてのモードに関して前記エコー信号を解析するステップを繰り返すことを特徴とする、請求項１に記載の方法。
【請求項３】
時間領域反射率測定が使用されることを特徴とする、請求項１に記載の方法。
【請求項４】
周波数領域反射率測定が使用されることを特徴とする、請求項１に記載の方法。
【請求項５】
前記通信線路（ｉ、ｊ、ｋ、．．．）がＤＳＬ線路であることを特徴とする、請求項１に記載の方法。
【請求項６】
バインダの通信線路（ｉ、ｊ、ｋ、．．．）における障害を識別するように構成された障害識別モジュール（ＩＩＭ）であって、
ディファレンシャルモードで入力信号を印加するように構成され、さらにディファレンシャルモードでエコー信号を測定するように構成された前記バンドルのそれぞれの線路（ｉ、ｊ、ｋ、．．．）に関する少なくとも１つのディファレンシャルモードモジュール（ＤＭｉ、ＤＭｊ、ＤＭｋ、．．．）と、
ファントムモードでそのような入力信号を印加するように構成され、さらにファントムモードでそのようなエコー信号を測定するように構成された前記バンドルのそれぞれの線路ペアに関する少なくとも１つのファントムモードモジュール（ＰＭｉｊ、ＰＭｊｋ）．．．）とを備えるマルチモードグループのモジュール（ＭＭＧ）を備え、さらに
前記バンドルの前記線路上の片端線路試験ＳＥＬＴの１サイクル中に、前記マルチモードグループのモジュール（ＭＭＧ）の前記モジュールの第１のモジュールに対する前記入力信号（ＩＮ）の印加を制御し、さらに前記マルチモードグループのモジュール（ＭＭＧ）の前記モジュールの第２のモジュールからの測定を制御するように構成され、前記第２のモジュールが前記第１のモジュールとは異なる制御手段（ＣＴＲＬ）と、前記測定されたエコー信号（Ｅ）を、エコー信号（Ｅ）から障害を導き出すために、前記入力信号（ＩＮ）に鑑みて解析するように構成された処理ユニット（ＰＵ）とをさらに備えることを特徴とする、障害識別モジュール（ＩＩＭ）。
【請求項７】
通信ＤＳＬモデム内に配置されることを特徴とする、請求項６に記載の障害識別モジュール（ＩＩＭ）。
【請求項８】
通信アクセスノード内に配置されることを特徴とする、請求項６に記載の障害識別モジュール（ＩＩＭ）。
【請求項９】
前記処理ユニット（ＰＵ）が通信ネットワークのサーバに備えられることを特徴とする、請求項６に記載の障害識別モジュール（ＩＩＭ）。
【請求項１０】
前記処理ユニット（ＰＵ）が専用の測定デバイスであることを特徴とする、請求項６に記載の障害識別モジュール（ＩＩＭ）。
【発明の詳細な説明】
【技術分野】
【０００１】
本発明は、バインダの通信線路における障害を識別する方法、およびそのような方法を実現する障害識別モジュールに関する。
【背景技術】
【０００２】
そのような方法およびモジュールは、当技術分野で既に知られている。事実、例えば、デジタル加入者線ＤＳＬなどの銅線アクセス通信ネットワークを介するトリプルプレーサービスの利用可能性とともに、ネットワークの信頼性は、ますます重要になる。既存の銅対線ネットワークを介してビデオサービスを展開する通信事業者は、接触不良、またはケーブルに入った水などの障害を検出することができ、さらに位置特定することができる効率的なツールを探し求めている。
【０００３】
この問題を解決するのに、片端線路試験ＳＥＬＴの名称で様々な技術が、当技術分野において知られている。事実、バインダの通信線路における障害を識別する方法は、バンドルの線路上で片端線路試験ＳＥＬＴを実行するステップを備える。
【０００４】
或るよく知られた技術は、時間領域反射率測定ＴＤＲと呼ばれる。ＴＤＲは、より対線を介して信号を送信すること、および時間の経過とともに受信されるエコーを測定することにある。ＴＤＲの概略図が図１に示される。入射信号とも呼ばれる入力信号が、ＴＸ入力を介して銅線に印加され、エコー信号が、ＲＸ出力を介して測定される。獲得された測定は、しばしば、反射率分布図と呼ばれる。線路のインピーダンス変化がわずかでさえ存在すると、反射されるエコーレベルは、変化し、この変化は、エコー測定における「ピーク」または「谷」として現れる。この技術を使用している場合、接触不良、ブリッジタップ、またはワイヤゲージ変化などのいずれの障害も、反射率分布図において目に見えるようになる。時間領域エコーが測定されると、障害までの距離が計算され得る。事実、線路上の電気信号の速度が分かっており、信号が行き来する距離は、信号がその事象まで行き、エミッタに戻ってこなければならないので、障害までの距離の２倍であることに留意すると、障害までの距離が算出され得る。
【０００５】
別の知られている方法は、周波数領域反射率測定ＦＤＲと呼ばれる。この技術は、周波数との関係でエコー信号の振幅および位相を測定することにある。実際的には、エコーは、周波数掃引と呼ばれる、要求される各周波数に関して別々に測定されることも、すべての周波数に関して一度に測定され、そのため、発信される信号がブロードバンド信号であることも可能である。結果は、振幅および位相対周波数を用いた反射係数のボード線図である。そのような図は、単一の障害が、エコー振幅における一連の規則的な間隔のバンプまたは穴として現れるので、解釈するのがより込み入ったことになる。
【０００６】
エコー位相が利用可能であるので、逆フーリエ変換を適用することによって周波数領域エコー信号を時間領域反射率分布図に変換することの方が、しばしば、より容易である。このようにして、周波数領域反射率測定は、時間領域反射率測定を使用して測定された他の任意の反射率分布図と同様に解釈され得る。
【０００７】
時間領域反射率測定と周波数領域反射率測定の両方に関して、結果は、接触不良、またはケーブルに入った水などの現実の障害によって影響されるが、ワイヤゲージ変化またはブリッジタップのような、いわゆる通常の欠陥によっても影響される。反射率分布図におけるピークが現実の問題に対応するか、または単に、ネットワークトポロジに特有であり得る２つのケーブルの間のスプライス、ゲージ変化、またはブリッジタップに起因するに過ぎないかを判定するのは、容易ではない。
【発明の概要】
【発明が解決しようとする課題】
【０００８】
本発明の目的は、前述した知られているタイプのような、ただし、銅対線ネットワークの最も頻度の高い障害の検出および位置特定の信頼性および精度が大幅に向上させられた、バインダの通信線路における障害を識別する方法およびモジュールを提供することである。
【課題を解決するための手段】
【０００９】
本発明によれば、この目的は、入力信号およびエコー信号が、ディファレンシャルモードおよび／またはファントムモードである線路のバンドルの異なる２つのモードの間で印加され、測定されるという事実により達せられる。このことは、入力信号が、マルチモードグループのうちの第１のモードで印加されるＳＥＬＴを実行することによって実現される。マルチモードグループは、バンドルの或る線路に関する少なくとも１つのディファレンシャルモードと、バンドルの線路ペアに関する少なくとも１つのファントムモードとを備える。さらに、エコー信号は、このマルチモードグループからの、第１のモードとは異なる第２のモードにおいて測定される。最後に、測定されたエコー信号が、その信号から障害を導き出すために入力信号に鑑みて解析される。
【００１０】
この方法は、バインダの通信線路の障害を識別するように構成された障害識別モジュールによって実現される。このモジュールは、バンドルのそれぞれの線路のための、ディファレンシャルモードで入力信号を印加し、さらにディファレンシャルモードでエコー信号を測定するように構成された少なくとも１つのディファレンシャルモードモジュールと、バンドルのそれぞれの線路ペアのための、ファントムモードでそのような入力信号を印加し、さらにファントムモードでそのようなエコー信号を測定するように構成された少なくとも１つのファントムモードモジュールとを有するマルチモードグループのモジュールを備える。障害識別モジュールは、バンドルの線路上の１サイクルの片端線路試験ＳＥＬＴの実行中に、マルチモードグループのモジュールの第１のモジュールに対する入力信号の印加を制御し、さらにマルチモードグループのモジュールの第２のモジュールからの測定を制御するように構成された、第２のモジュールが第１のモジュールとは異なる、制御手段をさらに備える。さらに、障害識別モジュールは、測定されたエコー信号を、その信号から障害を導き出すために入力信号に鑑みて解析するように構成された処理ユニットを備える。
【００１１】
線路に関するディファレンシャルモードは、通常のモードにおける、すなわち、その線路の別々の２つのワイヤ上で送信される２つの相補的な信号による情報の伝送であることが説明されなければならない。
【００１２】
さらに、線路ペアに関するファントムモードは、１つのペアの２つのワイヤの間で差動的にではなく、１つのペアと別のペアの間で差動的に測定される。つまり、ファントムモード測定は、１つのペアのコモンモードの別のペアのコモンモードに対する差動的測定である。
【００１３】
前述したマルチモードグループは、
ａ）考察されるそれぞれの線路に関する、すなわち、ｎ個の線路を有するバンドルに関して最大限でｎ個のディファレンシャルモードを有する、バンドルの１つまたは複数の線路に関する少なくとも１つのディファレンシャルモードと、
ｂ）考察されるそれぞれの線路ペアに関する、すなわち、ｎ個の線路を有するバンドルに関して最大限で（ｎ−１）個の独立したファントムモードを有する、バンドルの１つまたは複数の線路ペアに関する少なくとも１つのファントムモードとを備えることが説明されなければならない。
【００１４】
実際に、最大限の利用可能なモードを使用する場合、マルチモードグループは、合計で（ｎ）＋（ｎ−１）＝（２ｎ−１）個のモードを備える。
【００１５】
この方法および障害識別モジュールは、ワイヤゲージ変化またはブリッジタップなどの銅対線の「通常の」障害が、ペアの２つのワイヤに関して対称であるという洞察に基づく。つまり、ワイヤゲージ変化によるインピーダンス変動は、１つのペアの２つのワイヤに関して同一である。したがって、これらの対称の障害は、モード変換をもたらさない。このことは、例えば、すべての線路が良好な品質である、全く問題を有さないケーブルの場合、信号が、ディファレンシャルモードまたはファントムモードなどの所与のモードで送信されると、その信号に含まれるすべての電力が、ほぼ完全にそのモード内で伝達されることを意味する。別のモード（ディファレンシャルモードまたはファントムモード）に「漏れる」信号の部分は、ほぼ存在しない。
【００１６】
他方、接触不良などの「現実の」問題は、線路の２つのワイヤのインピーダンスの間に非対称を生じさせる。２つのワイヤの非対称により、信号のモード変換がもたらされる。事実、接触不良、または水の浸入などの、線路のいくつかに影響を及ぼす不均衡、すなわち、非対称問題を有するケーブルの場合、信号が、所与のモードで、例えば、ディファレンシャルモードまたはファントムモードで送信されると、その信号の或る割合は、同一の問題を被る線路の間に存在する他のすべてのモード（ディファレンシャルモードまたはファントムモード）に「漏れる」。この現象は、「モード変換」と呼ばれる。
【００１７】
したがって、良好な、よく均衡のとれた対称の線路の場合、例えば、ディファレンシャルモードとファントムモードの間で変換される信号の比率は、非常に低い。しかし、線路が、不良なワイヤ品質、ケーブルに入った水、または接触不良のために不均衡である場合、この比は、ひどく劣化する可能性があり、信号のより大きい部分が、１つのモードから他方のモードに変換される。
【００１８】
この現象、ならびにエコーが、発信された信号とは別のモードで測定された場合、獲得される反射率分布図は、接触不良、水、あらゆる種類の不均衡な故障などの、モード変換をもたらす非対称の障害だけを示し、ワイヤゲージ変化、スプライス、ブリッジタップなどの銅対線ネットワークトポロジに特有の対称の「通常の」障害は示さないという洞察のお陰で。これにより、ワイヤゲージ変化またはブリッジタップなどの「通常の」障害に左右されることなしに、接触不良、およびケーブルに入った水などの問題の正確な位置特定をもたらす反射率分布図が獲得される。
【００１９】
したがって、本出願の障害識別モジュールによって実現される障害を識別する方法は、接触不良、ケーブルに入った水、またはあらゆる種類の不均衡な故障などの、銅対線ネットワークに影響を及ぼす現場の障害を検出し、さらに位置特定することができる。従来のソリューションと比べた大きい利点は、この新たに提案される方法が、ワイヤゲージ変化などの銅ネットワークトポロジに特有の通常の障害に左右されないことである。
【００２０】
さらに、第２のモードを測定して、エコー信号を解析するステップが、第１のモードとは異なるマルチモードグループのすべてのモードに関して繰り返される場合、バンドル全体に関する現実の障害の完全な眺望が特定され得る。
【００２１】
この場合、事実、ｎ個のペアのシステムの場合、（２ｎ−１）＊（２ｎ−１）個の反射率分布図を測定することが可能であることに留意されたい。しかし、入射信号と同一のモードで測定される反射された信号を使用することによって計算される反射率分布図は、「従来の」単一モード反射率測定に相当する。これらの結果は、ワイヤゲージ変化を含むいずれの種類の障害にも左右される一方で、他のすべての反射率分布図は、接触不良、隣接するペアの間の絶縁不良、または水の浸入のようなモード変換をもたらす障害に左右される本明細書で定義されるマルチモード反射率分布図である。
【００２２】
異なるモードにより印加し、さらに測定する、この技術は、時間領域反射率測定、および周波数領域反射率測定がそれぞれ使用される、時間領域または周波数領域に基づくことが可能である。従来の反射率測定と同様に、時間領域測定は、反射率分布図を直接にもたらすのに対して、周波数領域測定は、逆フーリエ変換を適用することによって反射率分布図に変換され得るボード図（振幅および位相対周波数）をもたらす。
【００２３】
さらに、通信線路は、好ましくは、デジタル加入者線、ＤＳＬ線路である。
【００２４】
この障害識別モジュールの１つの可能な実施形態は、障害識別モジュールが通信ＤＳＬモデム内に配置されることである。
【００２５】
この障害識別モジュールの別の可能な実施形態は、障害識別モジュールが通信アクセスノード内に配置されることである。
【００２６】
最後に、この障害識別モジュールは、障害識別モジュールの処理ユニットが通信ネットワークのサーバ内に配置される分散された仕方により実現され得る。このようにして、処理ユニットは、専用の測定デバイスである。
【００２７】
そのようなサーバ、例えば、通信ノードの管理ネットワークへのアクセスを有する遠隔サーバは、ネットワーク内の任意の場所に配置されることが可能であり、印加された入力信号も知っている場合、測定されたエコー信号に関する情報を受信する。
【００２８】
特許請求の範囲において使用される「備える」という用語は、この用語に後に続いて列挙される手段に限定されるものと解釈されるべきではないことに留意されたい。このため、「手段Ａと、手段Ｂとを備えるデバイス」という表現の範囲は、構成要素ＡおよびＢだけから成るデバイスに限定されるべきではない。この表現は、本発明に関して、デバイスの関係のある構成要素が、ＡおよびＢだけであることを意味する。
【００２９】
添付の図面と併せて解釈される実施形態の以下の説明を参照することによって、本発明の以上、およびその他の目的および特徴が、より明白となるとともに、本発明自体の最良の理解が得られる。
【図面の簡単な説明】
【００３０】
【図１】従来の片端線路試験ＳＥＬＴを示す概略図である。
【図２ａ】本明細書のマルチモード片端線路試験ＳＥＬＴを示す概略図である。
【図２ｂ】本明細書のマルチモード片端線路試験ＳＥＬＴを示す概略図である。
【図３】本発明による通信ネットワークにおける障害識別モジュールを示す図である。
【発明を実施するための形態】
【００３１】
図２ａおよび図２ｂ、ならびに図３に示される通信環境に応じた本発明によるデバイスの動作が、図２ａおよび図２ｂ、ならびに図３に示される様々なブロックの機能の記述によって説明される。この説明に基づき、それらのブロックの実際的な実施は、当業者には明白となり、したがって、詳しく述べることはしない。さらに、通信線路における障害を識別する方法の主要な動作が、さらに詳細に説明される。
【００３２】
図１を参照すると、前述したとおり、デジタル加入者線通信ネットワークにおける従来の片端線路試験ＳＥＬＴの、すなわち、より具体的には、時間領域反射率測定の概略図が示されている。ＴＸ送信側で入射信号ＩＮが印加され、さらにＲＸ受信側で反射された信号、すなわち、エコー信号が測定される１つのＤＳＬ線路が示されている。印加された信号が障害に出会った場合、反射されるエコーレベルが変化し、このことが、エコー測定における「ピーク」または「谷」として現れる。接触不良、またはケーブルに入った水などの現実の障害だけでなく、ブリッジタップまたはワイヤゲージ変化などのネットワークトポロジに特有の通常の障害も、反射率分布図において目に見えるようになる。前述したとおり、この方法および障害識別モジュールにより、例えば、接触不良、またはケーブルに入った水に起因する現実の障害だけを示す反射率分布図が生成される。
【００３３】
図２ａおよび図２ｂを参照して、３つのＤＳＬ線路を有するバンドルに関する本出願のソリューションが説明される。最初に、マルチモードグループが説明される。この例に基づいて、バンドルは、以下の送信モードの可能性をもたらす：
ａ）バンドルの考察されるそれぞれの線路に関する少なくとも１つのディファレンシャルモード。各ＤＳＬ線路を考察し、考慮に入れる場合、３つのディファレンシャルモード、すなわち、ＤＭ１、ＤＭ２、およびＤＭ３が定義され得る。図２ａおよび図２ｂの概略図は、このため、それぞれのＤＳＬ線路にそれぞれが結合され、さらにディファレンシャルモード：ＤＭ１、ＤＭ２、およびＤＭ３に従って、それぞれが、入力信号ＩＮと呼ばれる、印加されるインセンティブ信号を送信すること、および／または受信すること、および／またはエコー信号Ｅと呼ばれる出力信号を測定することができるようにされた３つの機能ブロックを示す。
【００３４】
ｂ）バンドルの考察されるそれぞれの線路ペアに関する少なくとも１つのファントムモード。ＤＳＬ線路の可能な各ペアを考察し、考慮に入れる場合、３つのファントムモード、すなわち、ＰＭ１２、ＰＭ２３、およびＰＭ３１（図示せず）が定義され得る。しかし、第３のファントムモードは、他の２つとの関係で計算され得るので、すなわち、独立した２つのファントムモードだけしか考慮されないので、すなわち、この例によれば、ＰＭ１２およびＰＭ２３が示される。事実、図２の概略図は、このため、バインダにおけるそれぞれの線路ペアの間にそれぞれが結合され、さらにファントムモード：ＰＭ１２およびＰＭ２３に従って、それぞれが、入力信号ＩＮと呼ばれる、印加されるインセンティブ信号を送信すること、および／または受信すること、および／またはエコー信号Ｅと呼ばれる出力信号を測定することができるようにされた２つの機能ブロックを示す。
【００３５】
このようにして、この実施例におけるマルチモードグループは、以下の異なるモード：ＤＭ１、ＤＭ２、ＤＭ３、ＰＭ１２、およびＰＭ２３を備える。
【００３６】
本出願によれば、第１のステップで、前述したモードのうちの各モードを表す利用可能な機能ブロックのうちの１つに入力信号ＩＮが与えられる。入力信号ＩＮは、以降、第１のモードと呼ばれる、機能モードブロックのそれぞれのモードに従ってバインダに印加される。第２のステップで、利用可能な機能ブロックのうちの１つにおいて反射された信号Ｅが測定され、以降、第２のモードと呼ばれる、機能ブロックのそれぞれのモードに従って測定される。この場合、第２のモードは、第１のモードとは異ならなければならない。
【００３７】
第３のステップで、エコー信号の測定が、それらの測定から探索される障害を導き出すために、入力信号に鑑みて解析される。
【００３８】
２つの例が、図２ａおよび図２ｂに示される。
【００３９】
図２ａは、第１のＤＳＬ線路１の第１のディファレンシャルモード、すなわち、ＤＭ１における入力信号ＩＮを示す。
【００４０】
１つの第２のモードだけに関して測定を実行するだけで十分であるものの、異なる複数の第２のモードに関して測定を実行することによって、より多くの反射率分布図が測定され、その結果、より良好で、より正確な解析のより高い可能性が生じる。ＤＭ１におけるインセンティブＩＮを用いた試験に関する様々な可能性は：
ＤＭ１（ＩＮ）を用い、ＰＭ１２（Ｅ）で測定されたＥ１，２
ＤＭ１（ＩＮ）を用い、ＤＭ２（Ｅ）で測定されたＥ１，３
ＤＭ１（ＩＮ）を用い、ＰＭ２３（Ｅ）で測定されたＥ１，４
ＤＭ１（ＩＮ）を用い、ＤＭ３（Ｅ）で測定されたＥ１，５
である。
【００４１】
図２ｂは、第１のＤＳＬ線路１と第２のＤＳＬ線路２の間のファントムモード、すなわち、ＰＭ１２における入力信号ＩＮを示す。以下は、ＰＭ１２でインセンティブＩＮを用いた様々な試験に関する様々な可能性である：
ＰＭ１２（ＩＮ）を用い、ＤＭ１（Ｅ）で測定されたＥ２，１
ＰＭ１２（ＩＮ）を用い、ＤＭ２（Ｅ）で測定されたＥ２，３
ＰＭ１２（ＩＮ）を用い、ＰＭ２３（Ｅ）で測定されたＥ２，４
ＰＭ１２（ＩＮ）を用い、ＤＭ３（Ｅ）で測定されたＥ２，５
図２ａおよび図２ｂはやはり、それぞれ、従来のＳＥＬＴを示すことに留意されたい。このようにして、図２ａは、可能な試験
ＤＭ１（ＩＮ）を用い、ＤＭ１（Ｅ）で測定されたＥ１，１
を示し、さらに図２ｂは、可能な試験
ＰＭ１２（ＩＮ）を用い、ＰＭ１２（Ｅ）で測定されたＥ２，２
を示す。
【００４２】
図３を参照すると、通信環境における、すなわち、バインダにおいてｎ個のＤＳＬ線路に結合された障害識別モジュールＩＩＭが示されており、ｎ個のＤＳＬ線路のうちの３つが示され、線路ｉ、線路ｊ、および線路ｋと呼ばれる。障害識別モジュールＩＩＭは、マルチモードグループのモジュールＭＭＧを備える。マルチモードグループのモジュールは、以下を備える：
−  バンドルのそれぞれの線路ｉ、ｊ、ｋ．．．に関する少なくとも１つのディファレンシャルモードモジュールＤＭｉ、ＤＭｊ、ＤＭｋ。それぞれのディファレンシャルモジュールは、ディファレンシャルモードで入力信号を印加するように構成され、さらにディファレンシャルモードでエコー信号を測定するように構成され、さらに
−  バインダのそれぞれの線路ペアに関する少なくとも１つのファントムモードモジュールＰＭｉｊ、ＰＭｊｋ、．．．。それぞれのファントムモードモジュールは、ファントムモードでそのような入力信号を印加するように構成され、さらにファントムモードでそのようなエコー信号を測定するように構成される。
【００４３】
独立した２つのファントムモードモジュールだけが、この場合、示されていることに留意されたい。
【００４４】
障害識別モジュールＩＩＭは、マルチモードグループのモジュールの各モジュールに結合された制御手段ＣＴＲＬをさらに備える。制御手段ＣＴＲＬは、バンドルの線路上の片端線路試験ＳＥＬＴの１サイクルの実行中に、マルチモードグループＭＭＧのモジュールの第１のモジュールに対する入力信号ＩＮの印加を制御し、さらにマルチモードグループＭＭＧのモジュールの第２のモジュールからの測定を制御するように構成される。この場合、制御手段は、片端線路試験の１サイクルに関して、測定のための第２のモジュールが第１のモジュールとは異なることを確実にするように構成される。
【００４５】
障害識別モジュールＩＩＭは、制御手段ＣＴＲＬ、およびマルチモードグループＭＭＧの様々なモジュールに結合された処理ユニットＰＵをさらに備える。処理ユニットＰＵは、測定されたエコー信号Ｅを受信し、信号Ｅを、信号Ｅから探索される障害を導き出すために、入力信号ＩＮに鑑みて解析するように構成される。
【００４６】
バインダの通信線路、線路ｉ、線路ｊ、および線路ｋにおける障害を識別する方法は、バンドルのこれらの線路上で片端線路試験ＳＥＬＴを実行する全体的なステップを備える。さらに、この方法は、マルチモードグループのモジュールの第１のモジュールにマルチモードグループの第１のモードで入力信号ＩＮを印加する第１のステップと、マルチモードグループのモジュールの第２のモジュールによるマルチモードグループの第２のモードでエコー信号Ｅを測定する第２のステップとを備える。この場合、第２のモジュールによって実行される第２のモードは、第１のモジュールによって実行される第１のモードとは異なる。第３のステップで、受信されたエコー信号Ｅが、エコー信号Ｅから探索される障害を導き出すために、入力信号ＩＮに鑑みて解析される。
【００４７】
最後の注釈として、本発明の実施形態は、機能ブロックに関連して以上に説明されている。以上に与えられる、これらのブロックの機能上の説明から、これらのブロックの実施形態が、よく知られた電子構成要素を用いてどのように製造され得るかは、電子デバイスを設計する当業者には明白となろう。このため、機能ブロックの内容の詳細なアーキテクチャは、与えられていない。
【００４８】
本発明の原理は、特定の装置に関連して以上に説明してきたが、この説明は、添付の特許請求の範囲によって規定される本発明の範囲に対する限定としてではなく、単に例示として行われていることを明確に理解されたい。
【図１】
0005643895.tif 000002
【図２ａ】
0005643895.tif 000003
【図２ｂ】
0005643895.tif 000004
【図３】
0005643895.tif 000005